(57)【要約】    【課題】  どのようなデータフォーマットのデジタルビデオデータを送信するときでも、必要なアイソクロナス帯域を確保し送信を行うことができるデータ転送方法を提供する。    【解決手段】  記録媒体に記録されたデジタルビデオデータを転送するに際し、転送するデジタルビデオデータのデータフォーマットを判別し（ステップＳ３０２）、判別されたデータフォーマットがＳＤフォーマットである場合は、６３チャンネルを用いたブロードキャスト・コネクションで送信する（ステップＳ３０３）。データフォーマットがＳＤフォーマットが必要とする帯域よりも大きな帯域を必要とするデータフォーマットである場合には、６３チャンネル以外のチャンネルを使用してポイント・ツゥ・ポイント・コネクションで送信を行う（ステップＳ３０４）。【選択図】        図３
2005176251.tif 000002
【特許請求の範囲】
【請求項１】
記録媒体に記録された記録情報を転送するデータ転送方法において、
転送する記録情報のデータフォーマットを判別する判別工程と、
前記判別工程によって判別されたデータフォーマットが第１のデータフォーマットである場合は第１の接続方法を使用して転送を行う第１の転送工程と、
前記判別工程によって判別されたデータフォーマットが前記第１のデータフォーマットが必要とする帯域よりも大きな帯域を必要とする第２のデータフォーマットである場合は第２の接続方法を使用して転送を行う第２の転送工程とを実行することを特徴とするデータ転送方法。
【請求項２】
前記第１の接続方法は、所定のチャンネルを使用したブロードキャスト・コネクションであり、
前記第２の接続方法は、前記所定のチャンネル以外のチャンネルを使用したポイント・ツゥ・ポイント・コネクションであることを特徴とする請求項１に記載のデータ転送方法。
【請求項３】
記録媒体に記録された記録情報を転送するデータ転送装置において、
転送する記録情報のデータフォーマットを判別する判別手段と、
前記判別手段によって判別されたデータフォーマットが第１のデータフォーマットである場合は第１の接続方法を使用して転送を行う第１の転送手段と、
前記判別手段によって判別されたデータフォーマットが前記第１のデータフォーマットが必要とする帯域よりも大きな帯域を必要とする第２のデータフォーマットである場合は第２の接続方法を使用して転送を行う第２の転送手段とを有することを特徴とするデータ転送装置。
【請求項４】
前記第１の接続方法は、所定のチャンネルを使用したブロードキャスト・コネクションであり、
前記第２の接続方法は、前記所定のチャンネル以外のチャンネルを使用したポイント・ツゥ・ポイント・コネクションであることを特徴とする請求項３に記載のデータ転送装置。
【請求項５】
記録媒体に記録された記録情報を転送するデータ転送装置の制御方法を実行するための、コンピュータで読み取り可能な制御プログラムであって、
転送する記録情報のデータフォーマットを判別する判別ステップと、
前記判別ステップによって判別されたデータフォーマットが第１のデータフォーマットである場合は第１の接続方法を使用して転送を行う第１の転送ステップと、
前記判別ステップによって判別されたデータフォーマットが前記第１のデータフォーマットが必要とする帯域よりも大きな帯域を必要とする第２のデータフォーマットである場合は第２の接続方法を使用して転送を行う第２の転送ステップとを有することを特徴とする制御プログラム。
【発明の詳細な説明】
【技術分野】
【０００１】
本発明は、記録媒体に記録された記録情報を転送するデータ転送方法及びデータ転送装置、並びに該データ転送装置の制御方法を実行するための制御プログラムに関する。
【背景技術】
【０００２】
一般に、デジタルビデオデータのデータフォーマットには、ＤＶ（Digital video）規格のＳＤ方式（以下、ＳＤフォーマットと記す）、ＳＤ方式よりも高い圧縮率を採用したＳＤＬ方式（以下、ＳＤＬフォーマットと記す）、ＤＶ規格のＨＤ方式（以下、ＨＤフォーマットと記す）、及びＭＰＥＧ（Moving Picture Experts Group）規格（以下、ＭＰＥＧフォーマットと記す）等があり、このようなデータフォーマットで記録されたデジタルビデオデータを記録媒体から再生してデジタルインターフェースを用いて転送する技術は、従来より知られている。
【０００３】
近年、デジタルインターフェースとしては、IEEE Std 1394-1995（参考文献：IEEE Std 1394-1995, IEEE Standard for a High Performance Serial Bus, Institute of Electrical and Electronics Engineers, Inc.）及びIEEE Std 1394a-2000（参考文献：IEEE Std 1394a-2000, IEEE Standard for a High Performance Serial Bus - Amendment 1）に準拠したデジタルインターフェース（以下、ＩＥＥＥ１３９４インターフェースと記す）が知られている。ＩＥＥＥ１３９４インターフェースでは、アイソクロナス転送モードを利用することにより、ＳＤフォーマットのデジタルビデオデータ、ＳＤＬフォーマットのデジタルビデオデータ、ＨＤフォーマットのデジタルビデオデータ、及びＭＰＥＧフォーマットのデジタルビデオデータの何れかを高速に外部へ転送することができる。
【０００４】
アイソクロナス転送は、ＩＥＥＥ１３９４シリアルバス上に設定されたチャンネルを経由して行われ、ＩＥＥＥ１３９４シリアルバスに接続された各ノード（ＡＶ機器等のデータ伝送機器）のチャンネルへのコネクション形態としては、ブロードキャスト・コネクション（broadcast connection）とポイント・ツゥ・ポイント・コネクション（Point-to-point connection）がある。なお、ブロードキャスト・コネクション及びポイント・ツゥ・ポイント・コネクションについては、IEC 61883-1（参考文献：IEC 61883-1, Consumer audio/video equipment - Digital interface - Part 1: General）に記載されているので、その詳細な説明を省略する。
【０００５】
また、ＩＥＥＥ１３９４インターフェースでは、ＩＥＥＥ１３９４シリアルバスに接続された複数のノードの中で、アイソクロナス転送の機能を有しているノードがアイソクロナスリソースマネージャ（ＩＲＭ：Isochronous Resource Manager）として設定され、このＩＲＭがアイソクロナス転送に関する資源（リソース）を管理し、アイソクロナス転送に必要な帯域とチャンネルの割り付けを行っている。
【０００６】
上記の各種のデータフォーマットのデジタルビデオデータが記録されたデジタルビデオテープを再生したときに、その再生データをＩＥＥＥ１３９４インターフェースを用いて外部へ出力するには、アイソクロナス転送に必要な帯域の確保を行うことになる。
【０００７】
例えば、ＳＤＬフォーマットとＳＤフォーマットが記録されているデジタルビデオカセットのテープを再生し、その再生データをＩＥＥＥ１３９４インターフェースを用いて外部へ送信する場合、ＳＤＬフォーマットを再生しているときにＳＤＬフォーマットが必要とするアイソクロナス帯域は最低２６０バイトであるため、２６０バイトのアイソクロナス帯域を確保して送信している。次にＳＤフォーマットの再生を始めると、ＳＤフォーマットが必要とするアイソクロナス帯域は最低５００バイトであるので、現在の２６０バイトでは送信できないために、５００バイトのアイソクロナス帯域を確保して送信することになる。このような処理は、再生されるデジタルビデオデータのフォーマットごとに帯域の確保を繰り返さなければならないという問題を抱えていた。
【０００８】
そこで、再生映像に必要な最大帯域を確保し、どのようなデータフォーマットも最大帯域を用いて送信する方式が提案されている（特許文献１を参照）。この提案では、例えば、ＳＤＬフォーマットを再生している場合にも、記録媒体に記録されている最大帯域を必要とするＳＤフォーマットの５００バイト分の帯域をあらかじめ確保して、ＳＤフォーマットを送信するときはもちろん、ＳＤＬフォーマットを送信するときも５００バイト分の帯域を確保したまま送信することにより、再生されるデジタルビデオデータのデータフォーマットが変更されるごとに帯域の確保を繰り返す煩わしさを回避している。
【特許文献１】特開２００２−２８１４５１号公報
【発明の開示】
【発明が解決しようとする課題】
【０００９】
しかしながら、上記従来提案では、ＳＤフォーマット、ＳＤＬフォーマット、ＨＤフォーマット及びＭＰＥＧフォーマットの何れのデジタルビデオデータを外部へ出力する場合であっても、常に最大のアイソクロナス帯域を確保しなければならない。そのため、例えばＩＥＥＥ１３９４シリアルバス上のノードのうち、ＳＤフォーマットとＨＤフォーマットが送信可能なノード（Ａ）が、上記従来提案を用いて、ＳＤフォーマットのデジタルビデオデータをブロードキャスト・コネクションを介して送信している場合に、同じバス上の他のノード（Ｂ）が６３チャンネルによってＨＤフォーマットのデジタルビデオデータをブロードキャスト・コネクションで送信しようとすると、ノード（Ｂ）はＩＲＭによって、ノード（Ａ）がどれだけアイソクロナス帯域を確保しているかを知ることができず、実際にノード（Ａ）が送信に使用しているアイソクロナス帯域量しか知ることができないため、確実な送信を行うことができなかった。
【００１０】
本発明は上記従来の問題点に鑑み、どのようなデータフォーマットのデジタルビデオデータを送信するときでも、必要な帯域を確保して送信を行うことができるデータ転送方法、データ転送装置、及び制御プログラムを提供することを目的とする。
【課題を解決するための手段】
【００１１】
上記目的を達成するために、本発明のデータ転送方法では、記録媒体に記録された記録情報を転送するデータ転送方法において、転送する記録情報のデータフォーマットを判別する判別工程と、前記判別工程によって判別されたデータフォーマットが第１のデータフォーマットである場合は第１の接続方法を使用して転送を行う第１の転送工程と、前記判別工程によって判別されたデータフォーマットが前記第１のデータフォーマットが必要とする帯域よりも大きな帯域を必要とする第２のデータフォーマットである場合は第２の接続方法を使用して転送を行う第２の転送工程とを実行することを特徴とする。
【００１２】
また、本発明のデータ転送装置では、記録媒体に記録された記録情報を転送するデータ転送装置において、転送する記録情報のデータフォーマットを判別する判別手段と、前記判別手段によって判別されたデータフォーマットが第１のデータフォーマットである場合は第１の接続方法を使用して転送を行う第１の転送手段と、前記判別手段によって判別されたデータフォーマットが前記第１のデータフォーマットが必要とする帯域よりも大きな帯域を必要とする第２のデータフォーマットである場合は第２の接続方法を使用して転送を行う第２の転送手段とを有することを特徴とする。
【００１３】
また、本発明の制御プログラムでは、記録媒体に記録された記録情報を転送するデータ転送装置の制御方法を実行するための、コンピュータで読み取り可能な制御プログラムであって、転送する記録情報のデータフォーマットを判別する判別ステップと、前記判別ステップによって判別されたデータフォーマットが第１のデータフォーマットである場合は第１の接続方法を使用して転送を行う第１の転送ステップと、前記判別ステップによって判別されたデータフォーマットが前記第１のデータフォーマットが必要とする帯域よりも大きな帯域を必要とする第２のデータフォーマットである場合は第２の接続方法を使用して転送を行う第２の転送ステップとを有することを特徴とする。
【発明の効果】
【００１４】
本発明によれば、どのようなデータフォーマットの記録情報を送信するときでも、必要な帯域を確保して送信を行うことが可能になる。
【発明を実施するための最良の形態】
【００１５】
本発明のデータ転送方法、データ転送装置、及び制御プログラムの実施の形態について、図面を参照しながら説明する。本実施形態のデータ転送装置は、例えばデジタルビデオカメラに適用される。
【００１６】
図１は、本発明の実施の一形態に係るデータ転送装置を備えたデータ転送システムの概略構成を示す模式図である。
【００１７】
図中の１０１，１０５はそれぞれ、本実施形態のデータ転送装置の一例であるデジタルビデオカメラ（ＤＶＣ）である。ＤＶＣ１０１は、ＩＥＥＥ１３９４ケーブル１０２を介してデジタルテレビ（ＤＴＶ）１０３に接続され、また、ＤＶＣ１０５は、ＩＥＥＥ１３９４ケーブル１０４を介してデジタルテレビ１０３に接続されている。
【００１８】
図２は、図１に示したＤＶＣ１０１，１０５の内部構成の一例を示すブロック図である。
【００１９】
図中の２０１はデジタルビデオカセットであって、データフォーマットが異なる複数のデジタルビデオデータが記録された記録媒体である。２０２はシステムコントローラであって、後述する図３のフローチャートの処理手順に従った制御プログラム等のプログラムを格納し、このプログラムを実行することにより当該デジタルビデオカメラの動作を制御する。
【００２０】
２０３は、再生部であって、デジタルビデオカセット２０１からデジタルビデオデータを再生する。
【００２１】
２０４は、再生部２０３から供給されたデジタルビデオデータを液晶表示器等の表示器に表示する表示部である。２０５は再生ボタンなどを有する操作部である。２０６はＩＥＥＥ１３９４インターフェースであって、デジタルビデオデータをIEEE STD 1394-1995で規定されたアイソクロナスパケットに変換してコネクタ２０７へ出力する機能を有する。
【００２２】
次に、ＤＶＣ１０１，１０５の動作を説明する。
【００２３】
ユーザがデジタルビデオカセット２０１に記録したデジタルビデオデータを再生する場合、まず操作部２０５にある再生ボタンを押す。すると、システムコントローラ２０２は、再生ボタンが押されたことを検出し、再生動作を開始する。デジタルビデオカセット２０１から再生されたデジタルビデオデータは、ＩＥＥＥ１３９４インターフェース２０６と表示部２０４へ送られる。
【００２４】
表示部２０４では、再生部２０３から供給されたデジタルビデオデータを表示器に表示する。同時にＩＥＥＥ１３９４インターフェース２０６へ送られたデジタルビデオデータは、IEEE STD 1394-1995で規定されたアイソクロナスパケットに変換され、コネクタ２０７に接続されたデジタルテレビ１０３へ送信される。
【００２５】
次に、図１に示したデータ転送システムにおいて、ＤＶＣ１０５がＳＤフォーマットのデータを６３チャンネルを用いたブロードキャスト・コネクションで送信している状況で、ＤＶＣ１０１がデジタルビデオカセット２０１内のデジタルビデオデータを送信する場合の本実施形態の手法について、図３のフローチャートを参照しつつ説明する。
【００２６】
ここで、ＩＥＥＥ１３９４シリアルバスに接続される各ノードには、仮想的な入力プラグ（ｉＰＣＲ）と出力プラグ（ｏＰＣＲ）を複数設定することができ、ＩＥＥＥ１３９４シリアルバス上でデータの送受信を制御する際には、この仮想的なプラグを通して行われる。ブロードキャスト・コネクションは、特定のノードにおける１つの入力プラグ（Input Plug Control Register：以下、ｉＰＣＲと略記する）または出力プラグ（Output Plug Control Register：以下、ｏＰＣＲと略記する）を１つのチャンネルに関連付けるコネクションの形態であり、したがって、ＤＶＣ１０５がＳＤフォーマットのデジタルビデオデータを６３チャンネルを用いたブロードキャスト・コネクションで送信している状況とは、ＤＶＣ１０５に設定された１つの出力プラグ（ｏＰＣＲ）が６３チャンネルに結び付いてＳＤフォーマットのデジタルビデオデータを送信している状況を示している。
【００２７】
ｏＰＣＲのデータ構成（３２ビット）は、図４に示すように、出力プラグの接続がオン／オフの何れの状態にあるかを示す領域「ｏｎｌｉｎｅ」と、出力プラグを使用するブロードキャスト・コネクションの個数を示すブロードキャスト・コネクションカウンタの領域「ｂｃｃ」と、出力プラグを使用するポイント・ツゥ・ポイント・コネクションの個数を示すポイント・ツゥ・ポイント・コネクションカウンタの領域「ｐｃｃ」と、拡張用予備領域「ｒｓｖ」と、アイソクロナス転送に用いるチャンネルの番号を示す領域「ｃｈａｎｎｅｌ」と、転送速度を示す領域「ｄｒ」と、転送するデータに付加されるオーバーヘッド量を示す領域「ｏｖｅｒｈｅａｄＩＤ」と、１サイクルごとに転送されるデータ量を示す領域「ｐａｙｌｏａｄ」とで構成されている。
【００２８】
ｉＰＣＲのデータ構成（３２ビット）は、図５に示すように、入力プラグの接続がオン／オフの何れの状態にあるかを示す領域「ｏｎｌｉｎｅ」と、入力プラグを使用するブロードキャスト・コネクションの個数を示すブロードキャスト・コネクションカウンタの領域「ｂｃｃ」と、入力プラグを使用するポイント・ツゥ・ポイント・コネクション（後述する）の個数を示すポイント・ツゥ・ポイント・コネクションカウンタの領域「ｐｃｃ」と、拡張用予備領域を示す領域領域「ｒｓｖ」領域と、アイソクロナス転送に用いるチャンネルの番号を示す領域「ｃｈａｎｎｅｌ」と、拡張用予備領域「ｒｅｓｅｒｖｅｄ」とで構成されている。
【００２９】
ここで、ポイント・ツゥ・ポイント・コネクションとは、特定のノードにおける１つの出力プラグ（ｏＰＣＲ）と他のノードの１つの入力プラグ（ｉＰＣＲ）とを、１つのチャンネルに関連付けるコネクションの形態である。
【００３０】
まずステップＳ３０１において、ＤＶＣ１０１の操作部２０５の再生ボタンが押されると、次のステップＳ３０２では、再生の指令を検知したシステムコントローラ２０２は、再生部２０３に対して、再生するデジタルビデオデータのフォーマットを確認する。
【００３１】
ステップＳ３０２において、再生するデジタルビデオデータがＳＤフォーマットである場合には、６３チャンネルを用いたブロードキャスト・コネクションで送信すべくＤＶＣ１０１は次のような処理を行う。すなわち、システムコントローラ２０２は、ＩＥＥＥ１３９４インターフェース２０６に対して送信フォーマットがＳＤフォーマットであることを伝え、これを受けてＩＥＥＥ１３９４インターフェース２０６は、ＤＶＣ１０５のｏＰＣＲ内の「ｐａｙｌｏａｄ」（図４参照）を調べて、ＤＶＣ１０５がＳＤフォーマットを送信していることを確認する。
【００３２】
そして、ＤＶＣ１０１のＩＥＥＥ１３９４インターフェース２０６は、自分のｉＰＣＲ内の「ｂｃｃ」を“０”にする。さらに、ＩＥＥＥ１３９４インターフェース２０６は、ＤＶＣ１０５のｏＰＣＲの「ｂｃｃ」を“１”から“０”にしてコネクション非接続状態とし、自分のｏＰＣＲの「ｂｃｃ」を“１”にしてコネクション接続状態とし、それと同時にｏＰＣＲの「ｃｈａｎｎｅｌ」を“６３”に設定してＳＤフォーマットの送信を行う。
【００３３】
一方、ステップＳ３０２において、再生するデジタルビデオデータが、ＳＤフォーマットが必要とする帯域よりも大きな帯域を必要とするＨＤフォーマットであった場合は、６３チャンネル以外のチャンネルを用いたポイント・トゥ・ポイント・コネクションで送信すべくＤＶＣ１０１は次のような処理を行う。
【００３４】
すなわち、ＤＶＣ１０１のシステムコントローラ２０２は、ＩＥＥＥ１３９４インターフェース２０６に対して送信フォーマットがＨＤフォーマットであることを伝え、ＩＥＥＥ１３９４インターフェース２０６は、ＤＶＣ１０５のｏＰＣＲ内の「ｐａｙｌｏａｄ」を調べて、ＤＶＣ１０５がＳＤフォーマットを送信していることを確認する。
【００３５】
次にＤＶＣ１０１のＩＥＥＥ１３９４インターフェース２０６は、自分のｉＰＣＲ内の「ｂｃｃ」を“０”にする。さらに、ＩＥＥＥ１３９４インターフェース２０６は、ＤＶＣ１０５のｏＰＣＲの「ｂｃｃ」を“１”から“０”にしてコネクション非接続状態とし、アイソクロナスリソースマネージャ（ＩＲＭ）に対して、使用していたＳＤフォーマット分のアイソクロナス帯域と６３チャンネルを返却する。
【００３６】
ここで、ＩＥＥＥ１３９４インターフェースでは、ＩＥＥＥ１３９４シリアルバス上の帯域とチャンネルの管理はＩＲＭが行っており、帯域量をＢＡＮＤＷＩＤＴＨ＿ＡＶＡＩＬＡＢＬＥレジスタで、チャンネルの使用状況をＣＨＡＮＮＥＬＳ＿ＡＶＡＩＬＡＢＬＥレジスタで管理している。ＢＡＮＤＷＩＤＴＨ＿ＡＶＡＩＬＡＢＬＥレジスタ（３２ビット）は、図６に示すように、アイソクロナス転送に使用可能な残りの帯域を表す値を保持する領域「ｂｗ＿ｒｅｍａｉｎｉｎｇ」を有し、ＣＨＡＮＮＥＬＳ＿ＡＶＡＩＬＡＢＬＥレジスタ（６４ビット）は、図７に示すように、チャンネルの使用状況を表すべく６４チャンネル分のデータを保持するレジスタである。このＣＨＡＮＮＥＬＳ＿ＡＶＡＩＬＡＢＬＥレジスタを更新し、さらにＢＡＮＤＷＩＤＴＨ＿ＡＶＡＩＬＡＢＬＥレジスタを更新することにより、チャンネル及び帯域を確保することができる。
【００３７】
次にＩＥＥＥ１３９４インターフェース２０６は、ＩＲＭに対してロックトランザクションを発行することにより、ＨＤフォーマットに必要な９８０バイトのアイソクロナス帯域と６３チャンネル以外のチャンネルを確保する。さらに、ＩＥＥＥ１３９４インターフェース２０６は、ｏＰＣＲの「ｐｃｃ」を１つ増やし、それと同時にｏＰＣＲの「ｃｈａｎｎｅｌ」を、確保したチャンネルに設定してＨＤフォーマットの送信を行う（ステップＳ３０４）。
【００３８】
このように本実施形態によれば、ＳＤフォーマットよりも大きな帯域を必要とするデータフォーマットのデジタルビデオデータを送信する場合には、６３チャンネル以外のチャンネルを使用してポイント・ツゥ・ポイント・コネクションで送信を行うにようにしたので、どのようなデータフォーマットのデジタルビデオデータを送信するときであっても、必要な帯域を確保することができ、充分な送信を行うことが可能である。
【００３９】
なお、本実施形態においては、再生部２０３は、ＳＤ及びＨＤフォーマットへの変換を可能としたが、これ以外にＳＤＬ及びＭＰＥＧフォーマットに対しても可能である。また、上記実施形態ではＩＥＥＥ１３９４インターフェースの例を示したが、他のインターフェース、例えば無線であっても同様に適用することができる。
【００４０】
本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体に格納されたプログラムコードを読み出し実行することによっても、完成されることは言うまでもない。
【００４１】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【００４２】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【図面の簡単な説明】
【００４３】
【図１】本発明の実施の一形態に係るデータ転送装置を備えたデータ転送システムの概略構成を示す模式図である。
【図２】図１に示したＤＶＣ１０１，１０５の内部構成の一例を示すブロック図である。
【図３】実施形態の動作を示すフローチャートである。
【図４】ｏＰＣＲのデータ構成を示す図である。
【図５】ｉＰＣＲのデータ構成を示す図である。
【図６】ＢＡＮＤＷＩＤＴＨ＿ＡＶＡＩＬＡＢＬＥレジスタのデータ構成を示す図である。
【図７】ＣＨＡＮＮＥＬＳ＿ＡＶＡＩＬＡＢＬＥレジスタのデータ構成を示す図である。
【符号の説明】
【００４４】
１０１  デジタルビデオカメラ
１０２  ＩＥＥＥ１３９４ケーブル
１０３  ＤＴＶ
１０４  ＩＥＥＥ１３９４ケーブル
１０５  デジタルビデオカメラ
２０１  デジタルビデオカセット
２０２  システムコントローラ
２０３  再生部
２０４  ビデオ信号処理出力回路
２０５  操作部
２０６  ＩＥＥＥ１３９４インターフェース
２０７  コネクタ
【図１】
2005176251.tif 000003
【図２】
2005176251.tif 000004
【図３】
2005176251.tif 000005
【図４】
2005176251.tif 000006
【図５】
2005176251.tif 000007
【図６】
2005176251.tif 000008
【図７】
2005176251.tif 000009